(57)【特許請求の範囲】
【請求項１】
スイッチ素子（７、８）と、このスイッチ素子（７、８）の接点を切換動作するスライダ（１２）と、このスライダ（１２）を移動可能に支持するガイド基台（１１）と、このガイド基台（１１）との間で前記スライダ（１２）を挟持するケーシング（５）と、このケーシング（５）から突出する前記スライダ（１２）の軸部（１２ｂ）に一体化された操作ノブ（２）と、前記ガイド基台（１１）と前記スライダ（１２）との間に介設された弾性体（１５）を有する節度発生部とを備え、
前記節度発生部が、前記スライダ（１２）の底面に形成されたカム部（１２ｈ、１２ｉ）と、前記弾性体（１５）として前記ガイド基台（１１）に保持されたコイルばね（１５）と、このコイルばね（１５）に弾性付勢されて前記カム部（１２ｈ、１２ｉ）に圧接する駆動体（１４）とからなり、
前記操作ノブ（２）を介して前記スライダ（１２）をスライド操作したときに前記節度発生部によって節度感が生起されるスライドスイッチ装置であって、
前記スライダ（１２）に前記ガイド基台（１１）に圧接されて変形する弾性付勢部（１２ｃ、１２ｄ）を設け、この弾性付勢部（１２ｃ、１２ｄ）と前記節度発生部を前記軸部（１２ｂ）から離間した位置に互いに同じ数だけ配置したこと、及び
前記スライダ（１２）の移動方向に沿って延びる平面内に前記軸部（１２ｂ）を交点とする２つの直線を設定したとき、少なくとも２つの前記弾性付勢部（１２ｃ、１２ｄ）を一方の直線上に交点から等距離に配置し、また、少なくとも２つの前記節度発生部を他方の直線上に交点から等距離に配置したこと
を特徴とするスライドスイッチ装置。
【請求項２】
請求項１の記載において、前記弾性付勢部（１２ｃ、１２ｄ）が前記スライダ（１２）に片持ち梁状に一体形成された弾性腕（１２ｃ、１２ｄ）であることを特徴とするスライドスイッチ装置。
【請求項３】
請求項２の記載において、２つの前記弾性腕（１２ｃ、１２ｄ）を一方の直線上に交点から等距離に形成すると共に、２つの前記カム部（１２ｈ、１２ｉ）を他方の直線上に交点から等距離に形成したことを特徴とするスライドスイッチ装置。
【請求項４】
請求項３の記載において、前記スライダ（１２）が互いに直交する２方向へ移動可能であり、２つの前記カム部（１２ｈ、１２ｉ）がいずれも略円錐状の凹面をなすように形成されていることを特徴とするスライドスイッチ装置。
【請求項５】
請求項３または４の記載において、２つの前記弾性腕（１２ｃ、１２ｄ）と２つの前記カム部（１２ｈ、１２ｉ）がいずれも前記スライダ（１２）の隅部に形成されていることを特徴とするスライドスイッチ装置。
【発明の詳細な説明】
【技術分野】
【０００１】
本発明は、車両シートに内蔵されたランバーサポートを電動操作するパワーシートスイッチ等に用いて好適なスライドスイッチ装置に関するものである。
【背景技術】
【０００２】
自動車のパワーシートスイッチ等に用いられるスライドスイッチ装置は、ユーザが操作ノブを任意方向へ操作すると、操作ノブに連動して移動するスライダがスイッチ素子の接点を切換動作すると共に、節度発生機構により生起された節度感がユーザにフィードバックされるようになっている。このような節度発生機構を備えたスライドスイッチ装置として、従来より、スライダが載置されたガイド基台に節度調整具を嵌合固定し、このスライダに操作ノブが一体化される軸部を設けると共に、軸部の真下にコイルばねとボールを収納保持し、このボールをコイルばねの弾発力によって節度調整具のカム溝に圧接させたものが知られている（例えば、特許文献１参照）。この従来例では、スライダにスイッチ素子の駆動部と係合する複数の脚部が設けてあり、これら脚部で節度調整具を厚み方向に挟持しているため、操作ノブを操作してスライダがガイド基台上をスライド移動すると、ボールが節度調整具のカム溝内を摺動して節度感が生起されると共に、節度調整具の厚み方向に関するスライダのぐらつきが少なくなるようなっている。
【先行技術文献】
【特許文献】
【０００３】
【特許文献１】特開２０１０−２５１０２８号公報
【発明の概要】
【発明が解決しようとする課題】
【０００４】
ところで、特許文献１に開示された従来のスライドスイッチ装置は、スライダに設けた複数の脚部で節度調整具を厚み方向に挟持することにより、節度調整具の厚み方向に関するスライダのぐらつきを小さくしているが、脚部の挟持力を余りにも高く設定すると、脚部と節度調整具間の摺動抵抗が大きくなり過ぎてスライダを円滑にスライド操作することができなくなる。そこで、脚部を比較的小さな挟持力で節度調整具に当接させる必要があるが、その場合、初期位置でボールがカム溝の谷部に圧接されているときは、スライダをガタツキの少ない状態に保持することができるものの、初期位置にあるスライダをスライド操作してボールがカム溝の谷部から離れたとき、スライダがスライド方向にガタツキやすくなるという問題があった。特に、スライダが互いに直交する２方向を含む他方向へスライド操作可能である場合、スライダのスライド操作時にガタツキが発生しやすくなり、操作感触が著しく劣化することになる。
【０００５】
本発明は、このような従来技術の実情に鑑みてなされたもので、その目的は、スライダのガタツキを抑制して操作感触に優れたスライドスイッチ装置を提供することにある。
【課題を解決するための手段】
【０００６】
上記の目的を達成するために、本発明は、スイッチ素子と、このスイッチ素子の接点を切換動作するスライダと、このスライダを移動可能に支持するガイド基台と、このガイド基台との間で前記スライダを挟持するケーシングと、このケーシングから突出する前記スライダの軸部に一体化された操作ノブと、前記ガイド基台と前記スライダとの間に介設された弾性体を有する節度発生部とを備え、前記操作ノブを介して前記スライダをスライド操作したときに前記節度発生部によって節度感が生起されるスライドスイッチ装置において、前記スライダに前記ガイド基台に圧接されて変形する弾性付勢部を設け、この弾性付勢部と前記節度発生部を前記軸部から離間した位置に互いに同じ数だけ配置するという構成にした。
【０００７】
このように構成されたスライドスイッチ装置では、スライダを任意方向へスライド操作したとき、スライダが弾性付勢部と節度発生部からの弾発力をバランス良く受けてガイド基台上をスライド移動するため、スライダのガタツキを抑制して操作感触を向上することができる。
【０００８】
上記の構成において、弾性付勢部がスライダに片持ち梁状に一体形成された弾性腕であると共に、節度発生部が、スライダの底面に形成されたカム部と、弾性体としてガイド基台に保持されたコイルばねと、このコイルばねに弾性付勢されてカム部に圧接する駆動体とからなると、スライダに弾性付勢部である弾性腕と節度発生部の構成要素であるカム部とを精度良く一体形成することができて好ましい。
【０００９】
この場合において、スライダの移動方向に沿って延びる平面内に軸部を交点とする２つの直線を設定したとき、２つの弾性腕を一方の直線上に交点から等距離に形成すると共に、２つのカム部を他方の直線上に交点から等距離に形成すると、スライダの限られた領域に弾性腕とカム部をバランス良く配置することができて好ましい。
【００１０】
また、この場合において、スライダが互いに直交する２方向へ移動可能であり、２つのカム部がいずれも略円錐状の凹面をなすように形成されていると、スライダを初期位置から異なる２方向へスムーズにスライド操作することができ、操作感触に優れた他方向スライドスイッチ装置を実現できる。
【００１１】
また、上記の構成において、２つの弾性腕と２つのカム部がいずれもスライダの隅部に形成されていると、スライダのガタツキを効率良く抑えることができて好ましい。
【発明の効果】
【００１２】
本発明のスライドスイッチ装置は、スライダに設けられてガイド基台に圧接する弾性付勢部と、スライダのスライド操作時に節度感を生起する節度発生部とが、スライダの軸部から離間した位置に互いに同じ数だけ配置してあるため、スライダを任意方向へスライド操作したとき、スライダが弾性付勢部と節度発生部からの弾発力をバランス良く受けてガイド基台上をスライド移動し、スライダのガタツキを抑制して操作感触を向上することができる。
【図面の簡単な説明】
【００１３】
【図１】本発明の実施形態例に係るスライドスイッチ装置を搭載したシートスイッチユニットの平面図である。
【図２】該シートスイッチユニットの分解斜視図である。
【図３】図１のIII−III線に沿う断面図である。
【図４】図１のスライドスイッチ装置に備えられるスライダの平面図である。
【図５】図４のＶ−Ｖ線に沿う断面図である。
【図６】図４のVI−VI線に沿う断面図である。
【図７】該スライダを上面側から見た斜視図である。
【図８】該スライダを下面側から見た斜視図である。
【図９】該スライダがガイド基台上で初期位置にある状態を示す平面図である。
【図１０】図９のＸ−Ｘ線に沿う断面図である。
【図１１】該スライダがガイド基台上でスライド操作された状態を示す平面図である。
【図１２】図１１のXII−XII線に沿う断面図である。
【発明を実施するための形態】
【００１４】
発明の実施の形態について図面を参照して説明すると、図１に示すシートスイッチユニット１は、車両シートに内蔵されているランバーサポート等を操作するものであり、車両シートの座部の側方に設置されるようになっている。このシートスイッチユニット１の上面には、座席の前後位置や高さ位置等を調整する操作ノブ２と、リクライニング調整用の操作ノブ３と、背もたれの腰部分の突出量を調整する操作ノブ４とが列状に配置されている。操作ノブ２によって駆動される機構が本発明の実施形態例に係るスライドスイッチ装置であり、以下、このスライドスイッチ装置の詳細について説明し、他の操作ノブ３と操作ノブ４によって駆動されるスイッチ装置については説明を省略する。
【００１５】
図２に示すように、本実施形態例に係るスライドスイッチ装置は、透孔５ａを有するケーシング５と、ケーシング５の上面に配置された前記操作ノブ２と、ケーシング５の下面開口を蓋閉するベース体６と、複数のスイッチ素子７〜９等が実装された回路基板１０と、ケーシング５とベース体６間に挟持されたガイド基台１１と、ケーシング５とガイド基台１１間に挟持されたスライダ１２と、スライダ１２の下面に係合されたカムプレート１３と、一対の駆動体１４および一対のコイルばね１５等によって主に構成されている。
【００１６】
ケーシング５とベース体６はネジ止め等の固定手段を用いて一体化されて装置の外殻をなし、これらケーシング５とベース体６の内部空間に操作ノブ２を除くスイッチ装置の構成部材が収納されている。
【００１７】
回路基板１０はベース体６の上面に固定されており、この回路基板１０には操作ノブ２によって動作される３つのスイッチ素子７〜９だけでなく、操作ノブ３と操作ノブ４によって動作される他のスイッチ素子も実装されている。スイッチ素子７，８，９は上方へ突出するステム７ａ，８ａ，９ａを有する公知のスライドスイッチであり、ステム７ａ，８ａ，９ａをその軸線と直交する方向へ移動すると、内蔵された導体板（可動接点）がシーソ動作して固定接点に接離するようになっている（図３参照）。
【００１８】
ガイド基台１１は滑性に優れた合成樹脂の成形品からなり、図２に示すように、このガイド基台１１には略矩形状のガイド平面１１ａの周囲に規制壁１１ｂが形成されている。ガイド平面１１ａにはトラック形状の３つのガイド孔１１ｃ，１１ｄ，１１ｅが穿設されており、そのうち１つのガイド孔１１ｄの長軸方向は残り２つのガイド孔１１ｃ，１１ｅの長軸方向に対して直交している。また、ガイド平面１１ａには２つの保持孔１１ｆ，１１ｇが設けられており、図１０と図１２に示すように、これら保持孔１１ｆ，１１ｇは段付き形状に形成されている。各保持孔１１ｆ，１１ｇにはコイルばね１５を介して棒状の駆動体１４が収納されており、これら駆動体１４はそれぞれ対応するコイルばね１５の弾発力を受けてスライダ１２の下面に付勢されている。
【００１９】
スライダ１２も滑性に優れた合成樹脂の成形品からなり、図４〜図８に示すように、このスライダ１２は、水平方向に延びる平板部１２ａと、平板部１２ａから上方へ突出する軸部１２ｂとを有している。軸部１２ｂは透孔５ａを挿通してケーシング５の上方へ突出しており、この軸部１２ｂの先端に操作ノブ２を圧入することにより、スライダ１２と操作ノブ２は一体化されている（図３参照）。スライダ１２の平板部１２ａには２つの弾性腕１２ｃ，１２ｄと３つの貫通孔１２ｅ，１２ｆ，１２ｇが形成されており、平板部１２ａの裏面には２つのカム部１２ｈ，１２ｉと一対のガイドレール１２ｊが形成されている。
【００２０】
図５に示すように、各弾性腕１２ｃ，１２ｄは平板部１２ａに片持ち梁状に一体形成された弾性付勢部であり、これら弾性腕１２ｃ，１２ｄの先端（自由端）をガイド基台１１のガイド平面１１ａに圧接させることにより、スライダ１２の平板部１２ａは各弾性腕１２ｃ，１２ｄからの弾発力を受けてケーシング５の下面に付勢されるようになっている。また、各カム部１２ｈ，１２ｉは下方を開放した略円錐状の凹面（窪み形状の面）であり、これらカム部１２ｈ，１２ｉの中心に形成された谷部と円錐状斜面との境界部分は前述の節度感を生起させる形状を有している。各カム部１２ｈ，１２ｉにはそれぞれコイルばね１５に付勢された駆動体１４が圧接されており、スライダ１２の平板部１２ａは各弾性腕１２ｃ，１２ｄだけでなく各コイルばね１５からの弾発力も受けてケーシング５の下面に付勢されるようになっている。なお、各カム部１２ｈ，１２ｉと対応する駆動体１４およびコイルばね１５により２組の節度発生部が構成されており、詳細については後述するが、スライダ１２を任意方向へスライド操作したときに、各節度発生部から節度感（クリック感）が生起されるようになっている。
【００２１】
ここで、図４に示すように、スライダ１２の軸部１２ｂの中心Ｏを通って交差する２つの直線Ｂ，Ｃを設定したとき、各弾性腕１２ｃ，１２ｄは直線Ｂ上に配置されており、各カム部１２ｈ，１２ｉは直線Ｃ上に配置されている。直線Ｂと直線Ｃはほぼ直交しており、各弾性腕１２ｃ，１２ｄの先端と各カム部１２ｈ，１２ｉの中心（谷部）は軸部１２ｂを中心とする同一円上に略９０度おきに交互に配置されている。
【００２２】
カムプレート１３は金属平板を所定形状にプレス抜きしたものからなり、中央部の一対のガイド溝１３ａと周囲の３つの逃げ部１３ｂとを有している。このカムプレート１３はガイド基台１１のガイド平面１１ａ上に載置され、スライダ１２の平板部１２ａの裏面には形成された各ガイドレール１２ｊがカムプレート１３の対応するガイド溝１３ａに係合している。これにより、スライダ１２がガイド溝１３ａの延設方向へスライド操作されたときだけ、スライダ１２はガイド平面１１ａとカムプレート１３に対してスライド移動するが、それ以外の方向へライド操作されたときは、スライダ１２とカムプレート１３が一体的にガイド平面１１ａ上をスライド移動する。ただし、スライダ１２とカムプレート１３の相対位置が変化しても、カムプレート１３は各弾性腕１２ｃ，１２ｄの先端および各カム部１２ｈ，１２ｉの中心と重ならないようになっている。
【００２３】
前述した各スイッチ素子７，８，９のステム７ａ，８ａ，９ａは、それぞれガイド基台１１のガイド孔１１ｃ，１１ｄ，１１ｅとカムプレート１３の逃げ部１３ｂを挿通した後、スライダ１２の対応する貫通孔１２ｅ，１２ｆ，１２ｇ内に挿入されて係合している。これにより、スライダ１２が図９のＸ１−Ｘ２方向へスライド操作されると、それに伴って貫通孔１２ｅに係合するステム７ａのみが同方向へスライド移動し、スイッチ素子７の接点が切換動作される。また、スライダ１２が図９のＹ１−Ｙ２方向へスライド操作されると、それに伴って貫通孔１２ｆに係合するステム８ａのみが同方向へスライド移動し、この場合はスイッチ素子８の接点が切換動作される。さらに、スライダ１２が軸部１２ｂを中心に正逆両方向へ所定角度だけ回転操作されると、それに伴って貫通孔１２ｇに係合するステム９ａのみが同方向へスライド移動し、この場合はスイッチ素子９の接点が切換動作される。
【００２４】
このように構成されたスライドスイッチ装置において、図９に示すように、スライダ１２がガイド基台１１のガイド平面１１ａ上の初期位置にあるとき、各弾性腕１２ｃ，１２ｄの先端部はガイド平面１１ａに弾接されており、また、各駆動体１４はそれぞれコイルばね１５からの弾発力を受けてカム部１２ｈ，１２ｉの谷部に圧接されている（図１０参照）。したがって、スライダ１２の平板部１２ａは、弾性付勢部である各弾性腕１２ｃ，１２ｄからの弾発力と、節度発生部の弾性体である各コイルばね１５からの弾発力とにより、ケーシング５の下面にバランス良く弾性付勢されて安定して状態に保持されている。
【００２５】
この状態でユーザが操作ノブ２を介してスライダ１２を任意方向、例えば図９のＹ１方向へスライド操作すると、スライダ１２とカムプレート１３が一体的にガイド平面１１ａ上を同方向へスライド移動し、図１１に示すように、平板部１２ａの外縁がガイド基台１１の規制壁１１ｂに当接した位置でスライダ１２の同方向への移動は規制される。この間、スライダ１２は各弾性腕１２ｃ，１２ｄと各コイルばね１５からの弾発力を受けてガイド平面１１ａ上をスライド移動するため、スライダ１２のガタツキは抑制されて良好な操作感触を得られる。また、このようにしてスライダ１２が初期位置から任意方向へスライド移動すると、図１２に示すように、各駆動体１４が対応するカム部１２ｈ，１２ｉの谷部を乗り越えて円錐状斜面へ移行し、そのときに生起される節度感が操作ノブ２を手動操作するユーザにフィードバックされる。そして、スライダ１２のＹ１方向へのスライド移動に伴って、貫通孔１２ｆに係合するステム８ａが駆動されてスイッチ素子８の接点を切換動作するため、スイッチ素子８の接点切換信号に基づいて例えば座席の高さ位置が調整される。
【００２６】
スライダ１２を図９のＹ１以外の方向へスライド操作すると、そのスライド操作方向に応じて駆動されるスイッチ素子７，８，９の種類や切換信号が上記と異なり、例えばスライダ１２を図９のＹ２方向へスライド操作すると、ステム８ａが上記と逆向きに駆動されため、この場合はスイッチ素子８から別の接点切換信号が出力される。また、スライダ１２を図９のＸ１−Ｘ２方向へスライド操作すると、スライダ１２がガイド平面１１ａとカムプレート１３に対してスライド移動し、この場合は貫通孔１２ｅに係合するステム７ａが駆動されてスイッチ素子７の接点を切換動作するため、スイッチ素子７の接点切換信号に基づいて例えば座席の前後位置が調整される。さらに、スライダ１２を軸部１２ｂを中心に正逆両方向へ所定角度だけ回転操作されると、スライダ１２とカムプレート１３が一体的にガイド平面１１ａ上をスライドしながら同方向へ回動し、この場合は貫通孔１２ｇに係合するステム９ａが駆動されてスイッチ素子９の接点を切換動作するため、スイッチ素子９の接点切換信号に基づいて例えば座席の向きが調整される。これらの場合でも、スライダ１２は各弾性腕１２ｃ，１２ｄと各コイルばね１５からの弾発力を受けてガイド平面１１ａ上をスライド移動するため、スライダ１２のガタツキは抑制されて良好な操作感触を得られる。
【００２７】
以上説明したように、本実施形態例に係るスライドスイッチ装置では、スライダ１２に設けられてガイド基台１１のガイド平面１１ａに弾接する弾性付勢部（弾性腕１２ｃ，１２ｄ）と、スライダ１２のスライド操作時に節度感を生起する節度発生部（カム部１２ｈ，１２ｉと駆動体１４およびコイルばね１５）とが、スライダ１２の軸部１２ｂから離間した位置に互いに同じ数だけ配置してあるため、スライダ１２を任意方向へスライド操作したとき、スライダ１２が弾性付勢部と節度発生部からの弾発力をバランス良く受けてガイド平面１１ａ上をスライド移動し、スライダ１２のガタツキを抑制して操作感触を向上することができる。
【００２８】
ここで、弾性付勢部がスライダ１２の平板部１２ａに片持ち梁状に一体形成された弾性腕１２ｃ，１２ｄからなると共に、節度発生部が、スライダ１２の平板部１２ａの裏面に形成されたカム部１２ｈ，１２ｉと、ガイド基台１１の保持孔１１ｆ，１１ｇに保持されたコイルばね（弾性体）１５と、このコイルばね１５に弾性付勢されてカム部１２ｈ，１２ｉに圧接する駆動体１４とで構成されているので、合成樹脂製のスライダ１２に弾性付勢部（弾性腕１２ｃ，１２ｄ）と節度発生部の構成要素の一部（カム部１２ｈ，１２ｉ）とを精度良く一体形成することができる。
【００２９】
そして、スライダ１２の移動方向に沿って延びる平面内に軸部１２ｂを交点Ｏとする２つの直線を設定したとき、２つの弾性腕１２ｃ，１２ｄを一方の直線上に交点Ｏから等距離に形成すると共に、２つのカム部１２ｈ，１２ｉを他方の直線上に交点Ｏから等距離に形成してあるので、スライダ１２の限られた領域に２つの弾性腕１２ｃ，１２ｄと２つのカム部１２ｈ，１２ｉをバランス良く配置することができる。しかも、スライダ１２が互いに直交する２方向（Ｘ−Ｙ方向）へ移動可能であり、２つのカム部１２ｈ，１２ｉがいずれも円錐状に形成されているので、スライダ１２を初期位置から異なる２方向へスムーズにスライド操作することができ、操作感触に優れた多方向スライドスイッチ装置を実現できる。
【００３０】
なお、上記実施形態例では、スライダ１２が互いに直交する２方向（Ｘ−Ｙ方向）と軸部１２ｂ回りの回転方向とに移動可能であるスライドスイッチ装置について説明したが、スライダ１２が互いに直交する２方向（Ｘ−Ｙ方向）だけ、あるいはＸ−Ｙ方向のいずれか一方だけ移動可能なスライドスイッチ装置であっても良く、その場合はカムプレート１３を省略できる。
【００３１】
また、上記実施形態例では、節度発生部のカム部１２ｈ，１２ｉを略円錐状の凹面（窪み形状の面）としているが、カム部の形状はスライダ１２の操作方向に応じて適宜変更可能であり、例えば、スライダ１２が互いに直交する２方向だけ移動可能である場合は、カム部を平面視十字状の窪みにすることができる。また、カム部１２ｈ，１２ｉに棒状の駆動体１４を圧接させるようにしているが、駆動体としてボールをカム部１２ｈ，１２ｉに圧接させるようにしても良い。
【符号の説明】
【００３２】
２  操作ノブ
５ａ  透孔
５  ケーシング
７ａ，８ａ，９ａ  ステム
１０  回路基板
１１  ガイド基台
１１ａ  ガイド平面
１１ｂ  規制壁
１１ｃ，１１ｄ，１１ｅ  ガイド孔
１１ｆ，１１ｇ  保持孔
１２  スライダ
１２ａ  平板部
１２ｂ  軸部
１２ｃ，１２ｄ  弾性腕（弾性付勢部）
１２ｅ，１２ｆ，１２ｇ  貫通孔
１２ｈ，１２ｉ  カム部
１４  駆動体
１５  コイルばね（弾性体）
【図１】
0005941642.tif 000002
【図２】
0005941642.tif 000003
【図３】
0005941642.tif 000004
【図４】
0005941642.tif 000005
【図５】
0005941642.tif 000006
【図６】
0005941642.tif 000007
【図７】
0005941642.tif 000008
【図８】
0005941642.tif 000009
【図９】
0005941642.tif 000010
【図１０】
0005941642.tif 000011
【図１１】
0005941642.tif 000012
【図１２】
0005941642.tif 000013